(57)【特許請求の範囲】
【請求項１】
間仕切パネル体を有する移動間仕切装置であって、
前記間仕切パネル体は、パネル本体と、前記パネル本体に設けられた進退機構により少なくとも天井面または床面との隙間を閉塞するように移動可能な左右方向に延びる閉塞部材と、を有し、
前記閉塞部材は、上方または下方に移動する前記進退機構に対して回動可能に軸支されており、少なくとも天井面または床面との隙間を閉塞させる密閉部材と、前記進退機構に回動可能に軸支される支持部材と、前記密閉部材と前記支持部材とを上下方向に接続する弾性体とを有することを特徴とする移動間仕切装置。
【請求項２】
前記閉塞部材は、上下動する前記進退機構に対して左右方向の重心を外した位置で軸支されていることを特徴とする請求項１に記載の移動間仕切装置。
【請求項３】
前記密閉部材と前記支持部材との間の上下方向の距離に基づき閉塞完了を検知する検知手段が設けられていることを特徴とする請求項１または２に記載の移動間仕切装置。
【請求項４】
前記進退機構は、略水平方向に前進後退する駆動部と、前記閉塞部材に回動可能に接続され前記駆動部の略水平方向への動きを上下方向への動きに変換するリンク部と、を備えることを特徴とする請求項１ないし３のいずれかに記載の移動間仕切装置。
【請求項５】
前記パネル本体には、前記閉塞部材を該パネル本体側に付勢する付勢手段が設けられていることを特徴とする請求項１ないし４のいずれかに記載の移動間仕切装置。
【発明の詳細な説明】
【技術分野】
【０００１】
本発明は、オフィスや大会場、会議室等を所定の区画に仕切って使用するための移動間仕切装置に関する。
【背景技術】
【０００２】
一般に移動間仕切装置は、天井に設けられたレールに吊支された移動パネルを連接してオフィスや大会場、会議室等を所定の区画に仕切る用途で利用されている。このような移動間仕切装置は、移動パネル（間仕切パネル体）を移動させ易いように移動パネルのパネル本体と天井及び床との間に隙間を形成しているが、これらの隙間を介して移動パネルにより仕切られた隣接する区画間で、光漏れや音漏れが生じる虞があった。そこで、特許文献１に開示されるように、移動パネルのパネル本体の上下に、それぞれ上下方向に進退可能な閉塞部材を備え、これらの隙間を閉塞可能としたものがある。
【先行技術文献】
【特許文献】
【０００３】
【特許文献１】特開２００８−１８００６６号公報（第１０頁、第１６図）
【発明の概要】
【発明が解決しようとする課題】
【０００４】
しかしながら、特許文献１にあっては、閉塞部材はパネル本体と平行な状態で天井面や床面に向け移動することになるが、パネル本体の設置時にパネル本体の上面と天井面または下面と床面とが平行でない場合には、閉塞部材が天井面または床面に当接した状態において、閉塞部材の上面と天井面または下面と床面との間に隙間が生じてしまう虞があり、十分な閉塞を行えないという問題があった。
【０００５】
本発明は、このような問題点に着目してなされたもので、パネル本体と少なくとも天井面または床面との隙間を十分に閉塞可能な移動間仕切装置を提供することを目的とする。
【課題を解決するための手段】
【０００６】
前記課題を解決するために、本発明の移動間仕切装置は、
間仕切パネル体を有する移動間仕切装置であって、
前記間仕切パネル体は、パネル本体と、前記パネル本体に設けられた進退機構により少なくとも天井面または床面との隙間を閉塞するように移動可能な左右方向に延びる閉塞部材と、を有し、
前記閉塞部材は、上方または下方に移動する前記進退機構に対して回動可能に軸支されており、少なくとも天井面または床面との隙間を閉塞させる密閉部材と、前記進退機構に回動可能に軸支される支持部材と、前記密閉部材と前記支持部材とを上下方向に接続する弾性体とを有することを特徴としている。
この特徴によれば、閉塞部材と天井面または床面との接触部分を支点に回動させながら閉塞部材を天井面または床面に当接させることができるため、閉塞部材が天井面または床面の形状に倣って押し付けられ、隙間を確実に閉塞することができる。
【０００７】
前記閉塞部材は、上下動する前記進退機構に対して左右方向の重心を外した位置で軸支されていることを特徴としている。
この特徴によれば、進退機構が上方または下方に移動する際、閉塞部材が進退機構と閉塞部材との軸支部分を支点に天井面または床面に対して毎回同じ向きに傾斜した状態で、閉塞部材を上方または下方に移動させることができる。
【０００８】
前記閉塞部材は、少なくとも天井面または床面との隙間を閉塞させる密閉部材と、前記進退機構に回動可能に軸支される支持部材と、前記密閉部材と前記支持部材とを上下方向に接続する弾性体とを有することを特徴としている。
この特徴によれば、進退機構により密閉部材が天井面または床面に対して押し付けられることにより弾性部材が圧縮状態となるため、閉塞状態を常時維持することができる。
【０００９】
前記密閉部材と前記支持部材との間の上下方向の距離に基づき閉塞完了を検知する検知手段が設けられていることを特徴としている。
この特徴によれば、検知手段により閉塞完了状態を検知することができる。
【００１０】
前記進退機構は、略水平方向に前進後退する駆動部と、前記閉塞部材に回動可能に接続され前記駆動部の略水平方向への動きを上下方向への動きに変換するリンク部と、を備えることを特徴としている。
この特徴によれば、進退機構の駆動部の略水平方向への動きをリンク部により上下方向への動きに変換することができるため、閉塞部材の上下方向への移動に必要な移動距離を確保しつつ、パネル本体の上部または下部に進退機構を配置することができる。
【００１１】
前記パネル本体には、前記閉塞部材を該パネル本体側に付勢する付勢手段が設けられていることを特徴としている。
この特徴によれば、閉塞部材が床面及び／または天井面に接触することなく間仕切パネル体を移動可能となり、間仕切パネル体の移動作業を容易に行うことができる。
【図面の簡単な説明】
【００１２】
【図１】実施例における移動間仕切装置の設置例を示す斜視図である。
【図２】間仕切パネルの構造を示す部分断面図である。
【図３】間仕切パネルの上方の閉塞部材の構造を示す部分断面図である。
【図４】（ａ）ないし（ｃ）は、間仕切パネルの上方の閉塞部材及び進退機構の閉塞動作を示す部分断面図である。
【図５】間仕切パネルにおける進退機構の構造の変形例を示す部分断面図である。
【発明を実施するための形態】
【００１３】
本発明に係る移動間仕切装置を実施するための形態を実施例に基づいて以下に説明する。
【実施例】
【００１４】
実施例に係る移動間仕切装置につき、図１から図５を参照して説明する。以下、図２の画面手前側及び図３の画面左側を移動間仕切装置の正面側（前方側）とし、図１の画面奥側及び図３の画面右側を移動間仕切装置の背面側（後方側）とし、その前方側から見たときの上下左右方向を基準として説明する。
【００１５】
本実施例の移動間仕切装置１は、例えば、オフィスや展示会場、会議室等の室内空間を区画するために設置され、図１に示されるように、室内空間の天井Ｃに設置されるレール３（誘導路）に沿って移動可能な吊支部材３０，３０により上端を吊支される複数の間仕切パネル２，２，…（間仕切パネル体）から構成され、レール３の一方の端部に設けられる格納レール３１の位置に格納された間仕切パネル２，２，…をレール３に沿って所定の位置まで手動で順次移動させることによって、天井Ｃから床の床面Ｆに亘って室内空間を仕切ることができるようになっている。
【００１６】
図２に示されるように、間仕切パネル２は、パネル材２０ａ，２０ａを表裏に備えたパネル本体２０と、表裏のパネル材２０ａ，２０ａの間にパネル本体２０の上下端部２０ｂ，２０ｂ’から所定の高さ範囲に形成される上下の格納部２０ｃ，２０ｃ’と、該格納部２０ｃ，２０ｃ’に一組ずつ格納される閉塞部材２１，２１’及び進退機構２６，２６’と、から主に構成されている。
【００１７】
間仕切パネル２は、パネル本体２０の上下端部２０ｂ，２０ｂ’とレール３の下面３ａ（天井面）及び床の床面Ｆとの隙間が後述する密閉部材２２，２２’により閉塞される（図４参照）と同時に所定の位置に固定されることにより、複数の間仕切パネル２，２，…により仕切られた室内空間における遮音性や遮蔽性が確保できるようになっている。尚、本実施例における天井面は、天井Ｃ側の隙間を閉塞する際に密閉部材２２が当接する面、すなわち、天井Ｃに設けられる部材（ここではレール３）の一部の下面３ａを指す。また、本実施例における床面についても同様である。
【００１８】
パネル本体２０は、表面に焼付塗装等が施された鋼板に石膏ボードが裏打ちされたパネル材２０ａ，２０ａによって表裏面が形成され、上述した上下の格納部２０ｃ，２０ｃ’間に形成されるパネル部２０ｄには、グラスウール等の充填材２０ｅが挟み込まれることにより遮音性が高められている。尚、パネル材２０ａ，２０ａにおけるパネル部２０ｄの構成部分については、ガラスパネル等から構成されてもよい。
【００１９】
尚、パネル本体２０の上下の格納部２０ｃ，２０ｃ’にそれぞれ格納される閉塞部材２１，２１’及び進退機構２６，２６’の構成は、略同一であることから、上方の格納部２０ｃに格納される閉塞部材２１及び進退機構２６の構成について説明し、下方の格納部２０ｃ’に格納される閉塞部材２１’及び進退機構２６’の重複する構成についての説明は省略する。
【００２０】
図２及び図３に示されるように、閉塞部材２１は、パネル本体２０の左右方向に亘って延びる密閉部材２２と、該密閉部材２２の下方に設けられ後述する進退機構２６の第１リンク部２９により軸支される支持部材２３と、密閉部材２２と支持部材２３とを上下方向に接離可能に連結する一対の弾性部材２４，２４（弾性体）と、密閉部材２２と支持部材２３との間に設けられるリミットスイッチ２５（検知手段）と、から主に構成されている。
【００２１】
密閉部材２２は、断面上向き略コ字状でパネル本体２０と左右方向に略同一寸法を成し、パネル本体２０の格納部２０ｃから上方に向けて進出可能になっている。また、密閉部材２２の前後上端は、内方に折り曲げられた屈曲部２２ａ，２２ａがそれぞれ形成され、この屈曲部２２ａ，２２ａ上に弾性を有するゴム等で形成された緩衝部材２２０，２２０が固着されており、この緩衝部材２２０，２２０の上端面２２０ａ，２２０ａが、密閉部材２２をパネル本体２０の格納部２０ｃから上方に向けて進出させた場合にレール３の下面３ａに当接し、密閉部材２２の側面部によりパネル本体２０の上端部２０ｂとレール３との隙間を閉塞できるようになっている（図４（ｃ）参照）。尚、密閉部材２２の内部には、図示しない吸音材が設けられており、閉塞時の遮音性が高められている。
【００２２】
支持部材２３は、断面下向きコ字状で密閉部材２２よりも左右方向に短寸を成し、密閉部材２２の下方に設けられ、密閉部材２２をパネル本体２０の格納部２０ｃに退入させた場合には、支持部材２３の上面２３ａの左右端部に設けられる一対の弾性部材２４，２４によって密閉部材２２との間に所定の上下間隔が保持されるようになっている。また、支持部材２３は、後述する進退機構２６の第１リンク部２９の端部２９ｂにより左右方向の重心を外した一点の軸支部分Ｐで軸支されている。
【００２３】
弾性部材２４，２４は、上下方向に付勢するコイル状の圧縮バネ２４ａ，２４ａと、該圧縮バネ２４ａ，２４ａに軸通されるボルト形状の軸芯２４ｂ，２４ｂと、から構成されており、軸芯２４ｂ，２４ｂの下端は、支持部材２３の左右端近傍に下方側から上端側が上方に突出するように螺着されている。また、圧縮バネ２４ａ，２４ａの下端は、溶接等により支持部材２３の上面２３ａに固定されている。
【００２４】
また、弾性部材２４，２４の上端は、密閉部材２２の底部２２ｂに左右方向に所定間隔置いて穿設される貫通孔２２ｆ，２２ｆに挿入されて上方に突出しており、該突出位置に上方から取付けられる断面下向きハット形状の押圧部材２２ｄ，２２ｄによって圧縮バネ２４ａ，２４ａの上端が押圧された状態が常に維持されている。さらに、軸芯２４ｂ，２４ｂの上端は、押圧部材２２ｄ，２２ｄの中央に穿設される貫通孔２２ｇ，２２ｇに挿入されて上方に突出しており、押圧部材２２ｄ，２２ｄの上方の位置で軸芯２４ｂ，２４ｂの上端に螺嵌された規制部材２２ｅ，２２ｅにより、軸芯２４ｂ，２４ｂの上端が押圧部材２２ｄ，２２ｄの貫通孔から抜け出ない構造となっている。
【００２５】
図２に示されるように、リミットスイッチ２５は、密閉部材２２の底部２２ｂに穿設された図示しない設置孔を上方から閉塞するように取付けられており、ここでは構造を詳細に図示しないが、移動間仕切装置１の制御部（図示略）に接続される電気回路の開閉を行うマイクロスイッチ（図示略）を内蔵するスイッチ本体２５ａと、設置孔から密閉部材２２の下方に突出し上下に回動可能なヒンジ・レバー形の作動体２５ｂと、該作動体２５ｂの動作により操作されるプッシュプランジャ形のアクチュエータ（図示略）と、から構成されている。また、作動体２５ｂの先端は、支持部材２３の軸支部分Ｐから遠い位置に設けられる弾性部材２４の近傍に向けて延びており、密閉部材２２と支持部材２３との隙間が左右方向に亘って全て閉塞した場合にのみ作動体２５ｂが回動してアクチュエータが操作され、閉信号が出力されるようになっている（図４（ｃ）参照）。
【００２６】
進退機構２６は、図示しない電源から供給される電力により駆動する直動モータ２７（駆動部）と、直動モータ２７の動力を閉塞部材２１の支持部材２３に伝達するリンク部２８と、から主に構成されている。
【００２７】
直動モータ２７は、回転運動を直線運動に変換する図示しない台形ネジを内蔵するシリンダ２７ａと、台形ネジの先端に取付けられシリンダ２７ａの端部から左右方向に直線的に進退可能に設けられるロッド２７ｂと、から構成されている。また、運動伝達の精度が高い台形ネジを使用した直動モータ２７によりロッド２７ｂを動作させているため、ロッド２７ｂを電力の供給が停止された際の停止位置で保持できるようになっている。
【００２８】
図２に示されるように、リンク部２８は、長尺の第１リンク部２９と、短尺の第２リンク部２９’と、から構成され略入字状を成しており、第１リンク部２９は、一方の端部２９ａを直動モータ２７のロッド２７ｂの先端に回動可能に連結され、他方の端部２９ｂを前述した支持部材２３の軸支部分Ｐに回動可能に連結されている。
また、第２リンク部２９’は、一方の端部２９ａ’をパネル本体２０の格納部２０ｃに回動可能に連結され、他方の端部２９ｂ’を第１リンク部２９の長手方向の略中央部分に回動可能に連結されている。これによれば、直動モータ２７のロッド２７ｂの左右方向の直線運動を受けて、リンク部２８は、第１リンク部２９と第２リンク部２９’との協働により支持部材２３の軸支部分Ｐに回動可能に連結される第１リンク部２９の端部２９ｂを、略上下方向に直線運動させるように力の方向の変換を行うことができる。尚、リンク部２８は、上下寸法が左右寸法よりも短くなるように構成されている。
【００２９】
次いで、パネル本体２０の上方の格納部２０ｃに格納される閉塞部材２１及び進退機構２６による閉塞動作について図４を用いて詳しく説明する。
【００３０】
図４（ａ）に示されるように、閉塞部材２１及び進退機構２６による閉塞動作が開始されると、先ず、電源から供給される電力を受けて進退機構２６を構成する直動モータ２７が駆動されロッド２７ｂが左方向に進出し、これに伴って第１リンク部２９の端部２９ａと第２リンク部２９’の端部２９ａ’とが近づくことにより、第２リンク部２９’が端部２９ａ’を支点に回動し、端部２９ｂ’が上方に回動する。
【００３１】
第２リンク部２９’の端部２９ｂ’の上方への回動により、端部２９ｂ’に軸支された第１リンク部２９の端部２９ｂが略上方向に移動する。すなわち、直動モータ２７が駆動されることによるロッド２７ｂの移動の力の方向（左方向）が、第１リンク部２９の端部２９ｂを略上方向に移動させるような力の方向に変換される。これにより、第１リンク部２９の端部２９ｂの略上方向への移動により、第１リンク部２９の端部２９ｂと軸支部分Ｐで回動可能に支持された支持部材２３が上方に持ち上げられる。
【００３２】
このとき、第１リンク部２９の端部２９ｂは、支持部材２３の軸支部分Ｐに回動可能に連結されているため、支持部材２３は、自重により軸支部分Ｐを支点に回動して左右方向に傾斜した状態になる。また、支持部材２３の上方に連結される密閉部材２２は、弾性部材２４，２４により支持部材２３との所定の上下間隔が保持されたまま、支持部材２３と略平行となるように傾斜した状態で上方に持ち上げられる。
【００３３】
図４（ｂ）に示されるように、直動モータ２７の駆動が継続されロッド２７ｂが左方向にさらに進出していくと、支持部材２３が上方に持ち上げられて、軸支部分Ｐを支点に左右方向の傾斜がさらに大きくなり、支持部材２３の軸支部分Ｐの上方に設けられる密閉部材２２に固着された緩衝部材２２０の上端面２２０ａ，２２０ａの左方の端部近傍がレール３の下面３ａに接触部分Ｑで接触した状態になる。また、支持部材２３の軸支部分Ｐから近い位置に設けられる弾性部材２４の圧縮バネ２４ａが圧縮されることにより密閉部材２２とレール３の下面３ａとの接触時の衝撃が吸収されるとともに、密閉部材２２の底部２２ｂと支持部材２３の上面２３ａとが接触した場合の衝撃が吸収されるようになっている。
【００３４】
さらに、直動モータ２７の駆動が継続されると、上述した密閉部材２２に固着された緩衝部材２２０の上端面２２０ａ，２２０ａの左方の端部近傍がレール３の下面３ａに接触部分Ｑで接触した状態で下方から押圧力が作用し、支持部材２３の軸支部分Ｐから近い位置に設けられる弾性部材２４の圧縮バネ２４ａによる付勢力と上記押圧力との均衡が取れた段階で接触部分Ｑを支点として密閉部材２２が反時計回りに回動し、支持部材２３の軸支部分Ｐから離れた右方側の端部が上方に持ち上げられるようになる。
【００３５】
直動モータ２７の駆動が継続されロッド２７ｂが左方向にさらに進出していくと、支持部材２３の軸支部分Ｐから離れた側の端部が上方に持ち上げられていき、上述した密閉部材２２に固着された緩衝部材２２０の上端面２２０ａ，２２０ａとレール３の下面３ａとの接触部分Ｑを支点として密閉部材２２が回動し、図４（ｃ）に示されるように、密閉部材２２に固着された緩衝部材２２０の上端面２２０ａ，２２０ａがレール３の下面３ａに当接する。
【００３６】
また、密閉部材２２に固着された緩衝部材２２０の上端面２２０ａ，２２０ａとレール３の下面３ａとが面同士で当接した時点では、直動モータ２７の駆動は継続されており、密閉部材２２及び支持部材２３は、上方にさらに押圧され、密閉部材２２と支持部材２３との上下の隙間が左右方向に亘って全て閉塞される。これに伴いリミットスイッチ２５の作動体２５ｂが回動してアクチュエータが操作されることにより閉塞完了状態が検知され、前述した移動間仕切装置１の制御部に閉塞動作の完了を知らせる閉信号が送られる。閉信号を受け取った制御部は、直動モータ２７の駆動を停止させ閉塞部材２１及び進退機構２６による閉塞動作が完了する。
【００３７】
また、閉塞完了状態においては、前述したように電力の供給が停止された際のロッド２７ｂが正確な位置で停止されていることから、密閉部材２２と支持部材２３とを連結する弾性部材２４，２４の圧縮バネ２４ａ，２４ａが蓄勢された状態で維持されており、圧縮バネ２４ａ，２４ａの付勢力よりレール３の下面３ａに密閉部材２２を当接させて隙間なく閉塞できるようになっている。
【００３８】
これによれば、仮に、閉塞動作の完了後に閉塞部材２１及び進退機構２６の構成部のいずれかが僅かに動作し、支持部材２３が退入方向に移動した場合であっても、圧縮バネ２４ａ，２４ａの付勢力よりレール３の下面３ａに密閉部材２２を当接させた状態を維持することができる。
【００３９】
また、進退機構２６により上方に持ち上げられる支持部材２３の軸支部分Ｐが左右方向の重心からずれていることにより、レール３の下面３ａに当接した密閉部材２２には支持部材２３から偏荷重が作用するものであるが、左右の圧縮バネ２４ａ，２４ａは、同じ圧縮代で圧縮されるため、密閉部材２２による押圧力を左右方向に亘って略均一に調整することができる。
【００４０】
尚、閉塞状態を解除する動作は、上述した閉塞動作の逆の順序で動作することにより行われる。この場合、所定の開検知スイッチ等を設けることにより密閉部材２２全体が格納部２０ｃに退入して閉塞状態を解除が完了したことを検知できるようにしてもよい。
【００４１】
以上説明したように、閉塞部材２１，２１’を構成する支持部材２３，２３は、上方及び下方に移動する進退機構２６，２６’の第１リンク部２９，２９の端部２９ｂ，２９ｂに対して左右方向の重心を外した軸支部分Ｐ，Ｐ’でそれぞれ回動可能に軸支されている。そのため、進退機構２６，２６’の動作時には、閉塞部材２１，２１’を構成する密閉部材２２，２２’がレール３の下面３ａ及び床面Ｆに対して傾斜させた状態で上下方向にそれぞれ移動し、密閉部材２２，２２’に固着された緩衝部材２２０，２２０’の上端面２２０ａ，２２０ａ，２２０ａ’，２２０ａ’の一方の端部がレール３の下面３ａ及び床面Ｆに接触部分Ｑで接触した状態からさらに上下方向に移動することになる。
【００４２】
これによれば、密閉部材２２，２２’がレール３の下面３ａ及び床面Ｆの形状に倣って押し付けられ、隙間を確実に閉塞することができるとともに、レール３の下面３ａ及び床面Ｆへの当接時の衝撃力を低減することができる。
【００４３】
上記した効果を奏するために、軸支部分Ｐ，Ｐ’は、閉塞部材２１，２１’の左右方向の重心を外した位置に設けられることが好ましい。さらに、レール３の下面３ａ及び床面Ｆに当接した後の密閉部材２２，２２’の回動に要する力を小さくする観点からは、その左右方向位置を左右方向の重心と左右方向の端部との略中央とするとより好ましい。
【００４４】
また、進退機構２６，２６’は、直動モータ２７，２７のロッド２７ｂ，２７ｂの略水平方向への動きをリンク部２８により支持部材２３の軸支部分Ｐにおいて略上下方向への直線運動に力の向きを変換することができるため、パネル本体２０の内部に閉塞部材２１，２１’の上下方向への移動に必要な移動距離を確保しながら、進退機構２６，２６’自体の上下寸法を小さく構成することができる。そのため、狭い高さ範囲であるパネル本体２０の上部または下部に進退機構２６，２６’を設けることができるようになっている。
【００４５】
また、パネル本体２０の上部及び下部の狭い高さ範囲に進退機構２６，２６’が収まることから、パネル部２０ｄをパネル本体２０の広い範囲に形成することができるので、パネル本体２０における充填材２０ｅの充填範囲が広くなり間仕切パネル２の遮音性を向上させることができる。尚、パネル本体２０のパネル材２０ａ，２０ａとしてガラスパネルを使用した場合には、閉塞部材２１，２１’及び進退機構２６，２６’が目立ち難く、間仕切パネル２の美観を向上させることができる。
【００４６】
また、図２に示されるように、下方の閉塞部材２１’は、軸支部分Ｐ’と長手方向反対側が、付勢部材４（付勢手段）の付勢力によりパネル本体２０側に近づけられるように吊支されており、閉塞部材２１’が自重により垂れ下がり、床面Ｆに接触することがなく、間仕切パネル２の移動作業を容易に行うことができる。
【００４７】
尚、付勢部材４は、間仕切パネル２を移動させる際に、閉塞部材２１’の軸支部分Ｐ’と長手方向反対側の端部が床面Ｆに接触しないように、吊支するだけの付勢力を備えていればよいため、弾性部材２４の圧縮バネ２４ａに比べて付勢力が小さく設計されていることが好ましく、進退機構２６’により閉塞部材２１’が下方に進出する場合には、大きな力を必要とせずに、付勢部材４が伸長するようになっている。
【００４８】
また、この付勢部材４は、上方の閉塞部材２１側に設けられていてもよく、その場合には、レール３に沿って間仕切パネル２を移動させる際に、上方の密閉部材２２がパネル本体２０の上端部２０ｂよりも上方に跳ね上がることを防ぐことができる。
【００４９】
尚、支持部材２３は、進退機構２６のリンク部２８に対して軸支部分Ｐに回動可能に連結されていれば、支持部材２３とリンク部２８とが軸支部分Ｐの一点で直接連結される必要はなく、例えば、リンク部２８を構成する第１リンク部２９の端部２９ｂに軸支部分Ｐを軸に回動可能な上向きコ字状のリンク部材を備え、該リンク部材の両端部を支持部材２３に対して固定することで、支持部材２３とリンク部２８とを間接的に連結する構成としてもよい。
【００５０】
以上、本発明の実施例を図面により説明してきたが、具体的な構成はこれら実施例に限られるものではなく、本発明の要旨を逸脱しない範囲における変更や追加があっても本発明に含まれる。
【００５１】
例えば、前記実施例において、支持部材２３，２３’の軸支部分Ｐ，Ｐ’に回動可能に連結されている上下の進退機構２６，２６’は、直動モータ２７，２７’とリンク部２８，２８’により構成される態様として説明したが、これに限らず、支持部材２３，２３’の軸支部分Ｐ，Ｐ’に回動可能に連結され、軸支部分Ｐ，Ｐ’を上下方向に動作させるものであれば、上下の進退機構２６，２６’は自由に構成されてよく、例えば、図５の変形例に示されるように、駆動部材４０，４０’の回転運動を受けて略上下方向に直線運動する昇降部材４１，４１’が支持部材２３，２３’の軸支部分Ｐ，Ｐ’に回動可能に連結されているものであってもよい。
【００５２】
また、前記実施例において、間仕切パネル２は、電源から供給される電力により駆動する直動モータ２７の動力を受けて閉塞部材２１，２１’が閉塞動作を行う態様として説明したが、これに限らず、例えば、クランクハンドルを用いてウォームギアを連動させることにより手動で閉塞部材２１，２１’の閉塞動作を行うようなものであってもよい。
【００５３】
また、前記実施例において、上方の密閉部材２２は、レール３の下面３ａに当接することによりパネル本体２０の上端部２０ｂとレール３との隙間を閉塞する態様として説明したが、これに限らず、密閉部材２２は、天井Ｃの一部に当接することによりパネル本体２０の上端部２０ｂと天井Ｃとの隙間を閉塞するものであってもよい。同様に、下方の密閉部材２２’は、床面Ｆに当接する態様として説明したが、床に設けられたレール等の部材に当接するものであってもよい。
【００５４】
また、レール３の下面３ａには、密閉部材２２に固着された緩衝部材２２０の上端面２２０ａ，２２０ａが当接する構成となっているが、閉塞部材２１を構成する部材の上端がレール３の下面３ａに当接する構成であればこれに限らず、例えば、緩衝部材２２０を省略して密閉部材２２の屈曲部２２ａ，２２ａが直接レール３の下面３ａに当接する構成としてもよい。
【００５５】
また、前記実施例において、リンク部２８は、別体の第１リンク部２９と第２リンク部２９’とが回動可能に連結される態様として説明したが、これに限らず、リンク部２８は、直動モータ２７，２７のロッド２７ｂ，２７ｂの略水平方向への動きを支持部材２３の軸支部分Ｐにおいて上下方向への動きに変換するものであれば、リンク部２８を構成する部材の形状や数、連結部分等は自由に構成されてよい。
【００５６】
また、前記実施例において、パネル本体２０は、上下の格納部２０ｃ，２０ｃ’を有していれば、パネル材２０ａ，２０ａを表裏に備えていなくてもよく、例えば、パネル本体２０は、断面視略Ｈ字状に一体成形されたものであってもよい。
【符号の説明】
【００５７】
１                移動間仕切装置
２                間仕切パネル（間仕切パネル体）
３                レール
３ａ              下面（天井面）
４                付勢部材（付勢手段）
２０              パネル本体
２０ａ            パネル材
２０ｂ            上端部
２０ｂ’          下端部
２０ｃ，２０ｃ’  格納部
２０ｄ            パネル部
２０ｅ            充填材
２１，２１’      閉塞部材
２２，２２’      密閉部材
２２ａ            屈曲部
２２ｂ            底部
２２ｄ            押圧部材
２２ｅ            規制部材
２２ｆ，２２ｇ    貫通孔
２３，２３’      支持部材
２３ａ            上面
２４              弾性部材（弾性体）
２４ａ            圧縮バネ
２４ｂ            軸芯
２５              リミットスイッチ（検知手段）
２５ａ            スイッチ本体
２５ｂ            作動体
２６，２６’      進退機構
２７，２７’      直動モータ（駆動部）
２７ａ            シリンダ
２７ｂ            ロッド
２８，２８’      リンク部
２９              第１リンク部
２９’            第２リンク部
２２０，２２０’  緩衝部材
Ｐ，Ｐ’          軸支部分
Ｑ                接触部分
【図１】
0006731751.tif 000002
【図２】
0006731751.tif 000003
【図３】
0006731751.tif 000004
【図４】
0006731751.tif 000005
【図５】
0006731751.tif 000006